(57)【要約】【課題】画像データを処理する際のスイッチングノイズを低減する画像表示装置を提供する。【解決手段】画像表示装置（プロジェクター１）のプロセッサー（スケーラー１４）は、所定の色情報の形式で構成された画像データである背景画像データを、所定ビット数毎にデータバス（バスＢ）を介してフレームメモリー１５に展開する。表示部（投写部３）は、フレームメモリー１５に展開された背景画像データに基づいた背景画像を表示する。背景画像データは、１ピクセル毎の色情報を、所定ビット数毎にｎ分割した分割データを生成し、分割データのそれぞれについて、１が立っているビットの数である起立ビット数を算出し、ｎ分割された分割データ間の起立ビット数の差を算出し、起立ビット数の差の合計値を差分合計値として算出した場合に、明るさ階調レベルが９０％以上を満足する色情報について、差分合計値が大きい順に並べた場合の下位５０％に含まれる。【選択図】図１
2015141370.tif 000002
【特許請求の範囲】
【請求項１】
プロセッサーと、
画像データを展開するフレームメモリーと、
前記プロセッサーと前記フレームメモリーを電気的に接続するデータバスと、
前記画像データに基づく画像を表示する表示部と、
を備えた画像表示装置であって、
前記プロセッサーは、
所定の色情報の形式で構成された前記画像データとして記憶されている背景画像データを、所定ビット数毎に前記データバスを介して前記フレームメモリーに展開し、
前記表示部は、
前記フレームメモリーに展開された前記背景画像データに基づいた背景画像を表示し、
前記背景画像データは、
１ピクセル毎の色情報を、前記所定ビット数毎にｎ分割（ｎは１以上の整数）した分割データを生成して、
前記分割データのそれぞれについて、１が立っているビットの数である起立ビット数を算出して、
ｎ分割された前記分割データ間の前記起立ビット数の差を算出して、
前記起立ビット数の差の合計値を差分合計値として算出した場合に、
明るさ階調レベルが９０％以上を満足する色情報について、前記差分合計値が大きい順に並べた場合の下位５０％に含まれる画像データであることを特徴とする画像表示装置。
【請求項２】
請求項１に記載の画像表示装置であって、
前記所定ビット数は、前記フレームメモリーの格納ビット単位により決定されることを特徴とする画像表示装置。
【請求項３】
請求項１または２に記載の画像表示装置であって、
前記差分合計値が最小値である前記背景画像データの中で、明るさが最大のものを前記背景画像として、前記表示部は表示することを特徴とする画像表示装置。
【請求項４】
請求項１または２に記載の画像表示装置であって、
前記所定の色情報の形式がＹＵＶ形式であり、前記差分合計値が１０以下である前記背景画像データを、前記背景画像として前記表示部に表示させることを特徴とする画像表示装置。
【請求項５】
請求項１または２に記載の画像表示装置であって、
前記所定の色情報の形式がＲＧＢ形式であり、前記背景画像データを、所定のカラーパレットに基づいて生成し、前記背景画像として前記表示部に表示させることを特徴とする画像表示装置。
【請求項６】
請求項１乃至５のいずれか一項に記載の画像表示装置であって、
前記背景画像は、前記画像表示装置に画像信号が入力されていない場合に表示する待機画像であることを特徴とする画像表示装置。
【請求項７】
請求項１乃至５のいずれか一項に記載の画像表示装置であって、
前記背景画像は、ＯＳＤ表示における背景画像であることを特徴とする画像表示装置。
【請求項８】
プロセッサーと、画像データを展開するフレームメモリーと、前記プロセッサーと前記フレームメモリーを電気的に接続するデータバスと、前記画像データに基づく画像を表示する表示部と、を備えた画像表示装置の制御方法であって、
前記プロセッサーが、所定の色情報の形式で構成された前記画像データとして記憶されている背景画像データを、所定ビット数毎に前記データバスを介して前記フレームメモリーに展開する展開ステップと、
前記表示部が、前記フレームメモリーに展開された前記背景画像データに基づいた背景画像を表示する表示ステップと、
を有し、
前記背景画像データは、
１ピクセル毎の色情報を、前記所定ビット数毎にｎ分割（ｎは１以上の整数）した分割データを生成して、
前記分割データのそれぞれについて、１が立っているビットの数である起立ビット数を算出して、
ｎ分割された前記分割データ間の前記起立ビット数の差を算出して、
前記起立ビット数の差の合計値を差分合計値として算出した場合に、
明るさ階調レベルが９０％以上を満足する色情報について、前記差分合計値が大きい順に並べた場合の下位５０％に含まれる画像データであることを特徴とする画像表示装置の制御方法。
【発明の詳細な説明】
【技術分野】
【０００１】
本発明は、画像表示装置、および画像表示装置の制御方法に関する。
【背景技術】
【０００２】
複数ビットのデータバスを有するデータ処理システムにおいて、同時スイッチングノイズが発生することが知られている。同時スイッチングノイズは、複数の信号線で同時に信号が変化することにより発生し、ＥＭＩ（ElectroMagnetic Interference）の悪化を招く要因となる。近年、データ処理の高度化により、回路基板における信号の高速化およびデータバスの多ビット化が進むにつれて、同時スイッチングノイズの対策が難しくなっている。そこで、従来、データバスの各信号線における信号を遅延させてスキューを調整することにより、同時スイッチングノイズの低減を図る手法が提案されている（例えば、特許文献１参照）。
【先行技術文献】
【特許文献】
【０００３】
【特許文献１】特開２０１２−０４４４８８号公報
【発明の概要】
【発明が解決しようとする課題】
【０００４】
特許文献１に記載の構成では、データバスの各信号線に対応してバッファー回路および遅延回路を備え、各信号線の信号の変化に基づき、遅延回路における遅延量を決定する。この構成では、回路構成が複雑になってしまうため、より簡易な構成により同時スイッチングノイズを低減できる手法が望まれていた。特に、画像データを処理する装置においては、大容量の画像データを高速に処理する必要がある。このため、同時スイッチングノイズを低減するために複雑な処理を行うと、処理の遅延を招く等の問題が生じやすいという問題があった。本発明は、上述した事情に鑑みてなされたものであり、画像データを処理する際の同時スイッチングノイズを、簡易な構成により低減することを目的とする。
【課題を解決するための手段】
【０００５】
本発明は、上述の課題の少なくとも一部を解決するためになされたものであり、以下の形態または適用例として実現することが可能である。
【０００６】
［適用例１］本適用例に係る画像表示装置は、プロセッサーと、画像データを展開するフレームメモリーと、前記プロセッサーと前記フレームメモリーを電気的に接続するデータバスと、前記画像データに基づく画像を表示する表示部と、を備えた画像表示装置であって、前記プロセッサーは、所定の色情報の形式で構成された前記画像データとして記憶されている背景画像データを、所定ビット数毎に前記データバスを介して前記フレームメモリーに展開し、前記表示部は、前記フレームメモリーに展開された前記背景画像データに基づいた背景画像を表示し、前記背景画像データは、１ピクセル毎の色情報を、前記所定ビット数毎にｎ分割（ｎは１以上の整数）した分割データを生成して、前記分割データのそれぞれについて、１が立っているビットの数である起立ビット数を算出して、ｎ分割された前記分割データ間の前記起立ビット数の差を算出して、前記起立ビット数の差の合計値を差分合計値として算出した場合に、明るさ階調レベルが９０％以上を満足する色情報について、前記差分合計値が大きい順に並べた場合の下位５０％に含まれる画像データであることを特徴とする。
【０００７】
このような画像表示装置によれば、プロセッサーとフレームメモリーと、互いを接続するデータバスと表示部とを備えている。プロセッサーは、所定の色情報の形式で構成された画像データを、所定ビット数毎にデータバスを介してフレームメモリーに展開（書き込みおよび読み出し）する。表示部は、フレームメモリーに展開された所定の背景色の画像データである背景画像データに基づいた背景画像を表示する。背景画像データは、明るさ階調レベルが９０％以上を満足する色情報について、差分合計値が大きい順に並べた場合の下位５０％に含まれる画像データである。差分合計値とは、背景画像データの１ピクセル毎の色情報を所定ビット数毎にｎ分割した分割データを生成して、それぞれについて、１が立っているビットの数である起立ビット数を算出したときの分割データ間の起立ビット数の差の合計値である。このような背景画像を表示することで、スイッチングノイズを低減することが可能になる。具体的には、差分合計値が小さいほど、つまり、１が立っている起立ビット数の値の変化が小さいほど、画像表示装置のスイッチングノイズを低減することができる。
【０００８】
［適用例２］上記適用例に係る画像表示装置において、前記所定ビット数は、前記フレームメモリーの格納ビット単位により決定されることを特徴とする。
【０００９】
このような画像表示装置によれば、所定ビット数は、フレームメモリーの格納ビット単位によって決定されるため、背景画像データを容易にフレームメモリーに展開することができる。
【００１０】
［適用例３］上記適用例に係る画像表示装置において、前記差分合計値が最小値である前記背景画像データの中で、明るさが最大のものを前記背景画像として、前記表示部は表示することを特徴とする。
【００１１】
このような画像表示装置によれば、差分合計値が最小値である背景画像データの中で、明るさが最大のものを背景画像とする。これにより、スイッチングノイズを低減しつつ、明るい背景画像を表示することができる。
【００１２】
［適用例４］上記適用例に係る画像表示装置において、前記所定の色情報の形式がＹＵＶ形式であり、前記差分合計値が１０以下である前記背景画像データを、前記背景画像として前記表示部に表示させることを特徴とする。
【００１３】
このような画像表示装置によれば、スイッチングノイズを低減することができる。
【００１４】
［適用例５］上記適用例に係る画像表示装置において、前記所定の色情報の形式がＲＧＢ形式であり、前記背景画像データを、所定のカラーパレットに基づいて生成し、前記背景画像として前記表示部に表示させることを特徴とする。
【００１５】
このような画像表示装置によれば、背景画像データを、起立ビット数が少ない所定のカラーパレットに基づいて生成することで、スイッチングノイズを低減することができる。
【００１６】
［適用例６］上記適用例に係る画像表示装置において、前記背景画像は、前記画像表示装置に画像信号が入力されていない場合に表示する待機画像であることを特徴とする。
【００１７】
このような画像表示装置によれば、待機画像におけるスイッチングノイズを低減することができる。
【００１８】
［適用例７］上記適用例に係る画像表示装置において、前記背景画像は、ＯＳＤ表示における背景画像であることを特徴とする。
【００１９】
このような画像表示装置によれば、ＯＳＤ表示におけるスイッチングノイズを低減することができる。
【００２０】
［適用例８］本適用例に係る画像表示装置の制御方法は、プロセッサーと、画像データを展開するフレームメモリーと、前記プロセッサーと前記フレームメモリーを電気的に接続するデータバスと、前記画像データに基づく画像を表示する表示部と、を備えた画像表示装置の制御方法であって、前記プロセッサーが、所定の色情報の形式で構成された前記画像データとして記憶されている背景画像データを、所定ビット数毎に前記データバスを介して前記フレームメモリーに展開する展開ステップと、前記表示部が、前記フレームメモリーに展開された前記背景画像データに基づいた背景画像を表示する表示ステップと、を有し、前記背景画像データは、１ピクセル毎の色情報を、前記所定ビット数毎にｎ分割（ｎは１以上の整数）した分割データを生成して、前記分割データのそれぞれについて、１が立っているビットの数である起立ビット数を算出して、ｎ分割された前記分割データ間の前記起立ビット数の差を算出して、前記起立ビット数の差の合計値を差分合計値として算出した場合に、明るさ階調レベルが９０％以上を満足する色情報について、前記差分合計値が大きい順に並べた場合の下位５０％に含まれる画像データであることを特徴とする。
【００２１】
このような画像表示装置の制御方法において、このような背景色を表示することで、スイッチングノイズを低減することが可能になる。具体的には、差分合計値が小さいほど、つまり、１が立っている起立ビット数の値の変化が小さいほど、画像表示装置のスイッチングノイズを低減することができる。
【００２２】
また、上述した画像表示装置、および画像表示装置の制御方法が、画像表示装置に備えられたコンピューターを用いて構築されている場合には、上記形態および上記適用例は、その機能を実現するためのプログラム、あるいは当該プログラムを前記コンピューターで読み取り可能に記録した記録媒体等の態様で構成することも可能である。記録媒体としては、フレキシブルディスクやＨＤＤ（Hard Disk Drive）、ＣＤ−ＲＯＭ（Compact Disk Read Only Memory）、ＤＶＤ（Digital Versatile Disk）、Ｂｌｕ−ｒａｙ（登録商標）  Ｄｉｓｃ、光磁気ディスク、不揮発性メモリーカード、画像表示装置の内部記憶装置（ＲＡＭ（Random Access Memory）やＲＯＭ（Read Only Memory）等の半導体メモリー）、および外部記憶装置（ＵＳＢ（Universal Serial Bus）メモリー等）等、前記コンピューターが読み取り可能な種々の媒体を利用することができる。
【図面の簡単な説明】
【００２３】
【図１】第１の実施形態に係るプロジェクターの概略構成を示す機能ブロック図。
【図２】１０ビットデータを８ビットデータに変換する処理についての説明図。
【図３】ブルーデータの起立ビットの変化を表す説明図であり、（ａ）は、明るさ階調レベルが２５５／２５５の場合の説明図、（ｂ）は、明るさ階調レベルが２４８／２５５の場合の説明図。
【図４】ブルーデータの明るさ階調レベル別データの実験結果の図。
【図５】実験結果を放射ノイズの順で並べた図。
【図６】第２の実施形態に係るプロジェクターのカラーパレットであり、（ａ）は、通常のカラーパレット、（ｂ）は、待機画像およびＯＳＤ表示用のカラーパレット。
【発明を実施するための形態】
【００２４】
（第１の実施形態）
以下、画像表示装置の第１の実施形態として、ＹＵＶ形式でフレームメモリーに画像データを展開するプロジェクターについて、図面を参照して説明する。
【００２５】
図１は、第１の実施形態に係るプロジェクターの概略構成を示す機能ブロック図である。
プロジェクター１は、スクリーンＳＣに画像を投写する。プロジェクター１は、インターフェイス３０、投写部３（表示部）、および画像処理部７を備えている。なお、プロジェクター１は、ユーザーが操作する操作パネル、リモコン装置、リモコン装置と通信するリモコン受信部、および電源装置等を備えているが、ここでは図示および説明を省略する。
【００２６】
インターフェイス３０は、外部の画像供給装置（図示せず）に接続されるコネクターやインターフェイス回路（いずれも図示せず）等を備えている。例えば、インターフェイス３０は、デジタルデータ用のインターフェイスとして、ＤＶＩ、ＵＳＢ、ＬＡＮ、ＨＤＭＩ（登録商標）、ＤｉｓｐｌａｙＰｏｒｔ（商標）等の各種インターフェイスを備えていてもよい。また、インターフェイス３０は、アナログ画像信号用のインターフェイスとして、Ｓ映像端子、ＲＣＡ端子、Ｄ端子、Ｄ−Ｓｕｂ端子等を備えていてもよい。インターフェイス３０に接続される機器は、パーソナルコンピューター、ビデオ再生装置、ＤＶＤ再生装置、テレビチューナー装置、ＣＡＴＶのセットトップボックス、ビデオゲーム装置等の映像出力装置が挙げられる。本実施形態のインターフェイス３０には、デジタル画像データＳ１およびアナログ画像信号Ｓ２が入力される。インターフェイス３０は、入力されたデジタル画像データＳ１およびアナログ画像信号Ｓ２を、画像処理部７に出力する。
【００２７】
投写部３は、光源部４、光変調装置５、および投写光学系６を備えている。光源部４は、光源として、キセノンランプや超高圧水銀ランプ等を備えている。光源部４は、光源が発した光を光変調装置５に導くリフレクターおよび補助リフレクター（いずれも図示せず）を備えていてもよい。また、光源部４は、投写光の光学特性を高めるためのレンズ群、偏光板、光源が発した光の光量を光変調装置５に至る経路上で低減させる調光素子等（いずれも図示せず）を備えていてもよい。
【００２８】
光変調装置５は、光源部４から射出された光を、画像処理部７から入力される画像データに基づいて変調する。本実施形態の光変調装置５は、ＲＧＢの各色に対応した３枚の透過型液晶パネル（図示せず）を備えている。この光変調装置５は、透過型液晶パネルに配置された各画素により画像を形成し、光源部４が発した光を変調する。光変調装置５の液晶パネルは図示しない液晶ドライバーＩＣ（Integrated Circuit：集積回路）によって駆動され、画像を形成する。なお、光変調装置５には、反射型の液晶ライトバルブを用いた方式や、３枚のデジタルミラーデバイス（ＤＭＤ）を用いた方式を採用してもよい。また、光変調装置５として、カラーホイールと１枚のＤＭＤまたは液晶パネルとを組み合わせた方式を採用してもよい。
【００２９】
投写光学系６は、投写画像の拡大・縮小および焦点の調整を行うレンズ群、ズーム調整用モーター、フォーカス調整用モーター等（いずれも図示せず）を備えている。投写光学系６は、光変調装置５で変調された光（画像光）をスクリーンＳＣに投写し、スクリーンＳＣ上に結像させる。
【００３０】
画像処理部７は、インターフェイス３０から入力されるデジタル画像データＳ１またはアナログ画像信号Ｓ２を処理し、投写部３に出力する。画像処理部７は、フロントエンドＩＣ８、スケーラーＩＣ９、ＬＣＤコントローラーＩＣ１０、および、ＤＤＲメモリー１１を備えている。ＤＤＲメモリー１１は、DDR SDRAM（Double−Data−Rate Synchronous Dynamic Random Access Memory）規格に準拠したメモリーデバイスである。ＤＤＲメモリー１１の記憶領域にはフレームメモリー１５が設けられている。
【００３１】
フロントエンドＩＣ８は、フロントエンド回路１２および色空間変換部（ＣＳＣ：Color Space Converter）１３を備えている。フロントエンド回路１２は、フロントエンドＩＣ８の入力段に配置され、インターフェイス３０からデジタル画像データＳ１およびアナログ画像信号Ｓ２が入力される。フロントエンド回路１２は、インターフェイス３０から入力されたデジタル画像データＳ１をデコードして色空間変換部１３に出力する。また、フロントエンド回路１２は、インターフェイス３０から入力されたアナログ画像信号Ｓ２に対し、Ａ／Ｄ変換処理を実行して、変換後のデジタル画像データを色空間変換部１３に出力する。
【００３２】
色空間変換部１３は、例えば３×３の行列演算が可能なハードウェアにより構成され、フロントエンドＩＣ８の出力段に配置されている。色空間変換部１３は、フロントエンド回路１２から入力されるデジタル画像データに対して色空間変換（輝度色差空間（ＹＵＶ）−ＲＧＢ空間）を行い、処理後のデータをスケーラーＩＣ９に出力する。本実施形態では、画像データは、Ｒ：１０ビット、Ｇ：１０ビット、Ｂ：１０ビットのＲＧＢ形式のデータとして、スケーラーＩＣ９に出力される。
【００３３】
スケーラーＩＣ９は、図示しない色空間変換部を有しており、フロントエンドＩＣ８から入力されたＲＧＢ形式の画像データをＹＵＶ形式に変換する。そして、スケーラーＩＣ９は、ＣＰＵ２１の制御に従って、入力されたデータを処理するスケーラー１４を備えている。スケーラー１４は、入力されたデータをフレームメモリー１５に展開して、１フレーム分の画像を描画する。スケーラー１４が、プロセッサーに相当する。
【００３４】
スケーラー１４とフレームメモリー１５とはバスＢにより接続されている。バスＢのデータバスのバス幅は、フレームメモリー１５に格納する画像データのビット数に合わせたビット幅となっている。本実施形態では、フレームメモリー１５には、８ビット単位で画像データが格納される。このため、バスＢのデータバスのバス幅も８ビットとする。
【００３５】
ここで、上述したようにスケーラーＩＣ９は、Ｒ：１０ビット、Ｇ：１０ビット、Ｂ：１０ビットのデータを図示しない色空間変換部によって、ＹＵＶ形式のデータに変換している。変換されたデータは、Ｙ：１０ビット、Ｕ：１０ビット、Ｖ：１０ビットの構成になっている。スケーラー１４は、このＹＵＶ形式のデータを、フレームメモリー１５に、８ビット単位で格納（展開）する。このため、フレームメモリー１５に書き込む際には、１０ビットを８ビットに変換する必要がある。
図２は、１０ビットデータを８ビットデータに変換する処理についての説明図である。
【００３６】
図２には、プロジェクター１に画像信号が入力されていない場合に表示する待機画像である青色画像のデータ（以降、「ブルーデータ」ともいう。）が表されている。図２に示すように、スケーラー１４は、１０ビットデータＢ１のＹ：０４９ｈ、Ｕ：３ＦＥｈ、Ｖ：１Ｄ１ｈを、８ビットデータＢ２のＵ：ＦＦｈ、Ｙ：１２ｈ、Ｖ：７４ｈ、付加データ：１６ｈに変換して、バスＢを介してフレームメモリー１５に書き込む（展開する）。具体的には、まず、１０ビットデータＢ１の上位８ビットをそれぞれ取り出して８ビットデータＢ２のＹ、Ｕ、Ｖの値とする。そして、順番を変更して、Ｕ、Ｙ、Ｖの順とする。さらに、１０ビットデータＢ１の下位２ビットの値を下位からＵ、Ｙ、Ｖの順に並べ、最上位の２ビットに”００”を追加した付加データ（８ビット）を生成する。このように変換することで、それぞれ１０ビットのＹ、Ｕ、Ｖデータを、それぞれ８ビットのＵ、Ｙ、Ｖ、付加データに変換することが可能となる。そして、スケーラー１４は、８ビットのバス幅のバスＢを介して、フレームメモリー１５に、８ビット単位で書き込み（展開）および読み出しすることができる。それぞれ８ビットのＵ、Ｙ、Ｖ、付加データが、分割データに相当する。
【００３７】
ここで、スイッチングノイズ（同時スイッチングノイズ）について説明する。上述したように、スケーラー１４がフレームメモリー１５にアクセスする際に、バスＢがスイッチングノイズを引き起こす。具体的には、データバス上の”１”が立っているビット数（起立ビット数）の数の変化（変動）が大きい程、大きなスイッチングノイズが発生する。これは、起立ビット数の時系列の変化が大きい程、電源（図示せず）にかかる負荷の変動が大きい（電源が振られる）ためである。つまり、使用する電流の変化が大きいことによって、電源からスイッチングノイズが多く発生するのである。このようなスイッチングノイズによって、プロジェクター１から、放射ノイズ（ＲＡＤノイズ）が多く発生する。
【００３８】
そこで、バスＢのデータバス（８ビット幅）における起立ビット数の変化に着目する。
図３は、ブルーデータの起立ビットの変化を表す説明図であり、（ａ）は、明るさ階調レベルが２５５／２５５の場合の説明図であり、（ｂ）は、明るさ階調レベルが２４８／２５５の場合の説明図である。
【００３９】
図３（ａ）に示すように、ブルーデータの明るさ階調レベルが２５５／２５５の場合、１０ビットデータＣ１を変換した８ビットデータＣ２は、Ｕ：ＦＦｈ、Ｙ：１２ｈ、Ｖ：７４ｈ、付加データ：１６ｈである。起立ビット数は、Ｕ：８、Ｙ：２、Ｖ：４、付加データ：３である。起立ビットの時系列の変化であるＵとＹの差分は６、ＹとＶの差分は２、Ｖと付加データの差分は１、付加データとＵとの差分は５であり、その合計である差分合計値は１４である。
【００４０】
これに対して、図３（ｂ）に示すように、ブルーデータの明るさ階調レベルが２４８／２５５の場合、１０ビットデータＣ３を変換した８ビットデータＣ４は、Ｕ：ＦＣｈ、Ｙ：１１ｈ、Ｖ：７４ｈ、付加データ：３Ｃｈである。起立ビット数は、Ｕ：６、Ｙ：２、Ｖ：４、付加データ：４である。起立ビットの時系列の変化であるＵとＹの差分は４、ＹとＶの差分は２、Ｖと付加データの差分は０、付加データとＵとの差分は２であり、その合計である差分合計値は８である。
【００４１】
ここで、ブルーデータの明るさ階調レベルを変化させて（２５５〜２１８）、差分合計値と、そのときの放射ノイズとを測定する実験を行った。その結果について説明する。
図４は、ブルーデータの明るさ階調レベル別データの実験結果の図である。
【００４２】
図４に示すように、明るさ階調レベルが最も高い２５５／２５５では、差分合計値（８ビット）は、１４であり、そのときの放射ノイズは、３６．３ｄＢである。一方、明るさ階調レベルが２４８／２５５では、差分合計値（８ビット）は、８であり、そのときの放射ノイズは、２９．６ｄＢである。
【００４３】
さらに、図４の実験結果を放射ノイズの順番で並べ替えた表（図）を用いて検証する。
図５は、実験結果を放射ノイズの順で並べた図である。
【００４４】
図５に示すように、ブルーデータにおいては、明るさ階調レベルが２５５／２５５の場合は、差分合計値が大きく、放射ノイズも大きいと判断できる。また、明るさ階調レベルが２４８／２５５の場合は、差分合計値が小さく、放射ノイズも小さいと判断できる。つまり、図４、図５の結果から、明るさ階調レベル２４８／２５５は、放射ノイズが小さくて、且つ、明るさ階調レベルが大きいと言え、最適なブルーデータであると判断できる。そして、このような明るさ階調レベル２４８／２５５のブルーデータは、以下の条件を満たしている。
（１）明るさ階調レベルが９０％以上の色情報について、差分合計値が大きい順に並べた場合の下位５０％に含まれている。
（２）差分合計値が最小値８であるデータの中で、明るさ階調レベルが最大である。
（３）色情報の形式がＹＵＶ形式であり、差分合計値が１０以下である。
【００４５】
本実施形態のプロジェクター１では、このような明るさ階調レベルが２４８／２５５のブルーデータを、待機画像として使用する。なお、青色以外を待機画像として使用する場合にも、上述したような条件（１）または（２）または（３）に合致するような色データを待機画像として使用する。また、ＯＳＤ表示の背景画像についても、上述したような条件（１）または（２）または（３）に合致するような色データを使用する。また、明るさ階調レベルの低下分を補うため、ＬＣＤコントローラーＩＣ１０内の色空間変換部１７によって、補正することが可能である。このとき、色空間変換部１７はフレームメモリー１５とのアクセスを行わないため、ノイズに影響は与えない。
【００４６】
図１に戻り、スケーラー１４は、フレームメモリー１５に展開した画像に対し、各種の画像処理を実行する。この画像処理として、例えば、フロントエンドＩＣ８から入力されたデータの解像度変換等の処理を実行する。
【００４７】
また、スケーラー１４は、フレームメモリー１５に展開した画像に対し、投写部３がスクリーンＳＣに画像を投写した場合の台形歪みや糸巻き型歪みを補正する歪み補正処理を実行してもよい。この歪み補正処理において、スケーラー１４は、スクリーンＳＣ上で生じる歪みを補償するように、フレームメモリー１５の画像を変形させる。
【００４８】
また、スケーラー１４は、フレームメモリー１５に展開した画像に対し、色調を調整する処理を行ってもよい。プロジェクター１は、スクリーンＳＣ上の投写画像の色調を調整するカラーモード機能を有する。カラーモード機能では、例えば、シアターモード、リビングモード、黒板モード等のプリセットされたカラーモードからユーザーが所望のカラーモードを選択する。スケーラー１４は、指定されたカラーモードに対応する調整用のパラメーターを使用して、フレームメモリー１５に描画した画像の色を変更する処理を行う。
【００４９】
スケーラー１４は、上記の各種画像処理を実行した後に、フレームメモリー１５上の画像データを、ＬＣＤコントローラーＩＣ１０に出力する。ＬＣＤコントローラーＩＣ１０は、ＬＣＤコントローラー１６と、色空間変換部（ＣＳＣ）１７とを備えている。
【００５０】
ＬＣＤコントローラー１６は、ＬＣＤコントローラーＩＣ１０の入力段に配置される。ＬＣＤコントローラー１６は、スケーラーＩＣ９から入力される画像データに対し、ガンマ調整を含む各種の画像調整処理を実行する。この画像調整処理により、ＬＣＤコントローラー１６は、光変調装置５が備える液晶パネルに描画を行うための画像データを生成し、色空間変換部１７に出力する。また、ＬＣＤコントローラー１６は、スケーラー１４から入力される画像データに基づき、１フレームの画像の平均画像レベル（ＡＰＬ：Average Picture Level）算出機能やヒストグラムを計測する機能を有する。
【００５１】
色空間変換部１７は、例えば３×３の行列演算が可能なハードウェアにより構成され、ＬＣＤコントローラーＩＣ１０の出力段に配置される。色空間変換部１７は、ＬＣＤコントローラー１６で処理された画像データに対して色空間変換処理を行い、処理後の画像データを光変調装置５に出力する。
【００５２】
また、スケーラーＩＣ９は、ＣＰＵ２１、ＲＡＭ２２、およびＲＯＭ２３を備えている。ＣＰＵ２１は、ＲＯＭ２３に記憶されたプログラムを読み出して実行し、ＲＯＭ２３に記憶された設定値等のデータに基づいて、画像処理部７の各部を制御する。また、ＲＯＭ２３は、背景画像としての待機画像データや、ＯＳＤ表示用の画像データ等を記憶している。ＲＡＭ２２は、ＣＰＵ２１が実行するプログラムや処理対象のデータ等を一時的に記憶する。
【００５３】
ＣＰＵ２１は、ＲＯＭ２３内のプログラムを実行することにより、スケーラー１４を制御する。このＣＰＵ２１の制御に従って、スケーラー１４は、フレームメモリー１５に画像を展開し、上述した各種の画像処理（解像度変換処理、歪み補正処理、色調調整処理）等を実行する。ＣＰＵ２１は、スケーラー１４に対して実行する処理を指定するデータや、指定した処理に関するパラメーター等を出力する。このパラメーターは、例えばＲＯＭ２３に記憶されている。
【００５４】
上述した第１の実施形態によれば、以下の効果が得られる。
（１）プロジェクター１のスケーラー１４は、ＹＵＶ形式で構成された画像データを、データバスを介して、８ビット毎に、フレームメモリー１５に展開する。また、スケーラー１４は、フレームメモリー１５から画像データの読み出しも行う。プロジェクター１における画像データの各ピクセルは、ＹＵＶ形式の１０ビットデータであるため、スケーラーＩＣ９は、当該１０ビットデータをＹ、Ｕ、Ｖ、および付加データの４つの８ビットデータに変換して、フレームメモリー１５に展開する。
待機画像やＯＳＤ表示における背景画像等の背景画像データについては、予め、４つのデータそれぞれについて起立ビット数を算出し、データ間の起立ビット数の差の合計値を差分合計値として算出する。そして、明るさ階調レベルが９０％以上を満足する色情報について、差分合計値が大きい順に並べた場合の下位５０％に含まれる画像データを背景画像データとして、ＲＯＭ２３に記憶しておく。そして、プロジェクター１は、当該背景画像データに基づいて待機画像やＯＳＤ表示の背景画像を表示する。本実施形態では、ブルーデータで明るさ階調レベルが２４８／２５５、差分合計値が８の画像データを、待機画像とする。
このような背景画像（背景色）を表示することで、スイッチングノイズを低減し、さらに、放射ノイズを低減することができる。具体的には、差分合計値が小さいほど、つまり、１が立っている起立ビット数の値の時系列での変化（変動）が小さいほど、プロジェクター１のスイッチングノイズおよび放射ノイズを低減することができる。そして、ＥＭＩノイズを抑制することが可能になる。
【００５５】
（２）本実施形態では、プロジェクター１において、差分合計値が最小値８であるブルーデータの背景画像データの中で、明るさ階調レベルが最大値”２４８”のものを、プロジェクター１の背景画像とする。これにより、スイッチングノイズおよび放射ノイズを低減しつつ、明るい背景画像を表示することができる。
【００５６】
（３）本実施形態では、プロジェクター１において、差分合計値が８である背景画像データを待機画像のブルーデータとして採用した。図５に示したように、差分合計値が１０以下であれば、放射ノイズが略３３ｄＢ以下となるため、ノイズレベルとしては良好であると言え、待機画像やＯＳＤ表示の背景画像として好適である。
【００５７】
（４）プロジェクター１においては、差分合計値が小さくなるような背景画像データを使用することで放射ノイズの低減が可能であるため、シールド板や電磁吸収体等のノイズ対策部品を削減することができる。
【００５８】
（５）プロジェクター１のＲＯＭ２３に予め記憶される待機画像やＯＳＤ表示における背景画像等の背景画像データの明るさ階調レベルを、差分合計値が小さくなるような値にすることによって、スイッチングノイズや放射ノイズを低減することが可能である。よって、ハードウェアのコストアップの必要がないため、有益である。
【００５９】
（第２の実施形態）
第２の実施形態では、ＲＧＢ形式でフレームメモリーに画像データを展開するプロジェクターについて、図面を参照して説明する。
【００６０】
第２の実施形態に係るプロジェクター２の機能ブロック図は、第１の実施形態に係るプロジェクター１と同様である。よって、説明は省略する。また、第１の実施形態と同一の構成部については、同一の番号を使用する。
【００６１】
第２の実施形態のプロジェクター２のスケーラーＩＣ９は、フロントエンドＩＣ８からＲ：８ビット、Ｇ：８ビット、Ｂ：８ビットのデータを入力する。そして、スケーラー１４は、入力したＲＧＢ形式の信号を、順次、フレームメモリー１５に、８ビット単位で展開（格納）する。プロジェクター２では、ここではＹＵＶ形式への変換は行わない。
【００６２】
ここで、プロジェクター２のカラーパレットついて説明する。カラーパレットは、ＲＯＭ２３に記憶される。
図６は、第２の実施形態に係るプロジェクター２のカラーパレットであり、（ａ）は、通常のカラーパレットであり、（ｂ）は、待機画像およびＯＳＤ表示用のカラーパレットである。
【００６３】
図６（ａ）に示すように、通常のカラーパレットＰ１において、白色、黄色、シアン色、緑色、マゼンタ色、赤色、青色、黒色の各色は、”０（０ｈ）”または”２５５（ＦＦｈ）”によって表されている。しかしながら、”０”および”２５５”をビットで表すと、”００００００００ｂ”および”１１１１１１１１ｂ”となる。スケーラー１４からフレームメモリー１５に、８ビットのデータバスを介して、これらのデータを展開すると、大きなスイッチングノイズが発生する。
【００６４】
そこで、プロジェクター２では、待機画像やＯＳＤ表示等を行う際には、図６（ｂ）に示すようなカラーパレットＰ２を用いる。カラーパレットＰ２においては、白色、黄色、シアン色、緑色、マゼンタ色、赤色、青色、黒色の各色は、”０（０ｈ）”または”２４０（Ｆ０ｈ）”によって表されている。”０”および”２４０”をビットで表すと、”００００００００ｂ”および”１１１１００００ｂ”となる。このような値を用いると、明るさ階調レベルはやや低下する。しかし、スケーラー１４からフレームメモリー１５に、８ビットのデータバスを介して、これらのデータを展開する際の信号の変化が少なくなり、差分合計値も小さくなる。カラーパレットＰ２が、所定のカラーパレットに相当する。
【００６５】
上述した第２の実施形態によれば、第１の実施形態の効果（４）および（５）と同様の効果を奏することができる。他に、以下の効果が得られる。
（１）プロジェクター２のスケーラー１４は、ＲＧＢ形式で構成された画像データを、８ビット毎にデータバスを介してフレームメモリー１５に書き込み（展開）および読み出しを行う。プロジェクター２が待機画像やＯＳＤ表示の画像データを表示する際には、カラーパレットＰ２を用いる。これにより、データバスにおける信号の変化が少なくなり、差分合計値も小さくなる。そして、スイッチングノイズ（同時スイッチングノイズ）および放射ノイズを低減し、ＥＭＩノイズを抑制することができる。
【００６６】
なお、上述した実施形態に限定されず、種々の変更や改良等を加えて実施することが可能である。変形例を以下に述べる。
【００６７】
（変形例１）上記第１の実施形態では、明るさ階調レベルを変化させて、差分合計値が小さく、放射ノイズも少ない背景画像データをプロジェクター１の背景画像としているが、色相を変化させて、差分合計値が小さく、放射ノイズも少ない背景画像データをプロジェクター１の背景画像としてもよい。
【００６８】
（変形例２）上記第１の実施形態では、画像データは、ＲＧＢ形式、ＹＵＶ形式共に１０ビットデータとしたが、これに限定するものではない。例えば、８ビットデータとすれば、１０ビットデータを８ビットデータに変換する必要はない。
【００６９】
（変形例３）上記第１の実施形態および第２の実施形態では、バスＢのデータバスは８ビット幅としたが、８ビット幅のｍ倍（ｍは１以上の整数）としてもよい。こうすれば、フレームメモリー１５に８ビット毎に展開することが可能である。そして、書き込み速度の向上を図ることができる。
【００７０】
（変形例４）上記第２の実施形態では、カラーパレットＰ２において、”０（０ｈ）”および”２４０（Ｆ０ｈ）”を使用するものとしたが、”２４０（Ｆ０ｈ）”に限定するものではなく、”２２４（Ｅ０ｈ）”や１９２（Ｃ０ｈ）”としてもよい。これによれば、明るさ階調レベルはやや低下するが、スケーラー１４からフレームメモリー１５に、８ビットのデータバスを介して、これらのデータを展開する際の信号の変化が少なくなり、差分合計値も小さくなる。そして、スイッチングノイズおよび放射ノイズを低減することができる。
【００７１】
（変形例５）上記第１の実施形態のプロジェクター１では、ＲＯＭ２３に待機画像やＯＳＤ表示等の背景画像データが記憶されているものとしたが、画像処理部７に含まれる他の不揮発性メモリー（図示せず）に背景画像データが記憶されていてもよい。
【００７２】
（変形例６）上記第１の実施形態のプロジェクター１では、ＲＯＭ２３に予め差分合計値が小さく、放射ノイズも少ない背景画像データが記憶されているものとしたが、ＲＯＭ２３を書き込み可能な不揮発性メモリーとし、待機画像やＯＳＤ表示等の背景画像データを書き換え可能な構成としてもよい。この場合、プロジェクター１は通信部（図示せず）を備え、通信部が、パーソナルコンピューター等の外部機器（図示せず）から受信した背景画像データの情報を、ＣＰＵ２１によってＲＯＭ２３に書き込むものとすることができる。こうすれば、製品の開発後でも、放射ノイズの少ない背景画像データをプロジェクター１に設定することが可能になる。
【００７３】
（変形例７）上記第１の実施形態および第２の実施形態では、画像表示装置はスクリーンＳＣに画像を投写するプロジェクターとしたが、これに限定されない。液晶表示パネルに画像／画像を表示する液晶モニターまたは液晶テレビ、あるいは、ＰＤＰ（プラズマディスプレイパネル）に画像／画像を表示するモニター装置またはテレビ受像機、ＯＬＥＤ（Organic light-emitting diode）、ＯＥＬ（Organic Electro-Luminescence）等と呼ばれる有機ＥＬ表示パネルに画像／画像を表示するモニター装置またはテレビ受像機等の自発光型の表示装置など、各種の表示装置も本発明の画像表示装置に含まれる。
【００７４】
（変形例８）図１に示したプロジェクター１，２の各機能部は機能的構成を示すものであって、具体的な実装形態は特に制限されない。さらに、その他の具体的な細部構成についても、本発明の趣旨を逸脱しない範囲で任意に変更可能である。
【符号の説明】
【００７５】
１，２…プロジェクター、３…投写部、４…光源部、５…光変調装置、６…投写光学系、７…画像処理部、８…フロントエンドＩＣ、９…スケーラーＩＣ、１０…ＬＣＤコントローラーＩＣ、１１…ＤＤＲメモリー、１２…フロントエンド回路、１３…色空間変換部、１４…スケーラー、１５…フレームメモリー、１６…ＬＣＤコントローラー、１７…色空間変換部、２１…ＣＰＵ、２２…ＲＡＭ、２３…ＲＯＭ、３０…インターフェイス、Ｂ…バス、ＳＣ…スクリーン。
【図１】
2015141370.tif 000003
【図２】
2015141370.tif 000004
【図３】
2015141370.tif 000005
【図４】
2015141370.tif 000006
【図５】
2015141370.tif 000007
【図６】
2015141370.tif 000008